(57)【特許請求の範囲】
【請求項１】
平行に配置した多数の桟を伸縮自在に連結することによってシャッター本体の伸縮を担当する伸縮リンク機構と，該シャッター本体の任意の複数の桟に跨がり配置するとともに該複数の桟に対する回動自在の軸支と長手方向スライド自在の係合を該複数の桟において配分することによって上記伸縮リンク機構によるシャッター本体の伸縮に従動して折畳み自在とし且つ該装飾リンク機構を，複数のリンクバー又は所定形状に打ち抜き形成したリンクプレートをリンク要素として店舗の業種，名称，社章等を示す文字又は図形の装飾表出を担当する装飾リンク機構とを備えてなることを特徴とする店舗用シースルー折畳みシャッター。
【請求項２】
上記複数の桟に対する回動自在の軸支と長手方向スライド自在の係合の配分に代えて，装飾リンク機構をシャッター本体の２本の桟に対して傾斜して跨り配置したリンク要素によって形成するとともにその長手方向両端を上記２本の桟の長手方向に画した所定範囲における長手方向スライド自在の係合の配分としてなることを特徴とする請求項１に記載の店舗用シースルー折畳みシャッター。
【請求項３】
上記シャッター本体の伸縮を担当する伸縮リンク機構を，シャッター本体の平行多数の桟を伸縮方向に同時に伸縮する伸縮リンク機構としてなることを特徴とする請求項１又は２に記載の店舗用シースルー折畳みシャッター。
【請求項４】
上記シャッター本体の伸縮を担当する伸縮リンク機構を，シャッター本体の平行多数の桟を伸縮方向にそれぞれ個別伸縮する伸縮リンク機構としてなることを特徴とする請求項１又は２に記載の店舗用シースルー折畳みシャッター。
【請求項５】
上記伸縮リンク機構を，平行多数の桟における長手方向端部に配置することによって，縦引きのシャッター本体幅方向両端又は横引きのシャッター本体の上下方向両端に配置し，シャッター本体の面内中間の任意位置に上記装飾リンク機構を配置自在としてなることを特徴とする請求項１，２，３又は４に記載の店舗用シースルー折畳みシャッター。
【請求項６】
上記文字又は図形の装飾表出を担当する装飾リンク機構を，シャッター本体に多数配置して備えてなることを特徴とする請求項１，２，３，４又は５に記載の店舗用シースルー折畳みシャッター。
【発明の詳細な説明】
【０００１】
【発明の属する技術分野】
本発明は店舗の開口部に設置し，例えば店舗名，社章，業種マーク等の文字や図形による装飾を表示するようにした店舗用シースルー折畳みシャッターに関する。
【０００２】
【従来の技術及び発明が解決しようとする課題】
この種店舗用のシースルーシャッターとして，例えば水平多数のパイプをその両端において相互に回動自在のリンクバーによって連結したシャッター本体を用い，両側のガイドレールの案内によって，シャッター本体上端に設置したシャッター軸に巻取り収納するようにした，いわゆるパイプシャッターが知られている。このパイプシャッターを典型とするシースルーシャッターは，例えば店舗の閉店後にも照明をつけたショーウインドが透視できるとともにシャッターとしての防犯性を確保することが可能であり，例えば軽量シャッターのように閉店後に商店街が暗くなって無人の街といった印象を与えることを解消できるため，商店街の活性化に好適のものとして使用されることも多い。しかしながらこの場合シャッター本体は，シャッター軸に巻取り収納する形態とされるために，シャッター本体を巻取り自在に屈曲させるようにする必要があるので，シャッター本体毎にデザインを変えたりして，変化を持たせることが構造的に困難であって，デザインが画一化する結果を招くという問題点を有する。
【０００３】
本発明はかかる事情に鑑みてなされたもので，その解決課題とするところは，上記シースルーシャッターとしての長所を保持する一方，例えば店舗名，社章，業種マーク等の文字や図形による装飾を付することによって，デザインの多様化を図ることができるようにした店舗用シースルー折畳みシャッターを提供するにある。
【０００４】
【課題を解決するための手段】
上記課題にそって本発明は，シャッター本体を，縦方向又は横方向に平行多数に配置した桟を用いるとともにシャッター本体の伸縮に関与する伸縮要素と伸縮に非関与の装飾要素の，シャッター本体における機能を異にしそれぞれの機能を分担する２種類のリンク機構を用い，伸縮要素のリンク機構により上記平行多数の桟を伸縮自在（折畳み自在といってもよい）に連結することによってシャッター本体の伸縮を可能とする一方，装飾要素のリンク機構を上記伸縮用のリンク機構の伸縮に従動するように桟に配置することによって，シャッター本体の面内に上記店舗の業種，名称，社章等を示す文字又は図形による装飾の表出とその折畳みを可能としたものであって，即ち請求項１に記載の発明を，平行に配置した多数の桟を伸縮自在に連結することによってシャッター本体の伸縮を担当する伸縮リンク機構と，該シャッター本体の任意の複数の桟に跨がり配置するとともに該複数の桟に対する回動自在の軸支と長手方向スライド自在の係合を該複数の桟において配分することによって上記伸縮リンク機構によるシャッター本体の伸縮に従動して折畳み自在とし且つ該装飾リンク機構を，複数のリンクバー又は所定形状に打ち抜き形成したリンクプレートをリンク要素として店舗の業種，名称，社章等を示す文字又は図形の装飾表出を担当する装飾リンク機構とを備えてなることを特徴とする店舗用シースルー折畳みシャッターとし，請求項２に記載の発明を，上記複数の桟に対する回動自在の軸支と長手方向スライド自在の係合の配分に代えて，装飾リンク機構をシャッター本体の２本の桟に対して傾斜して跨り配置したリンク要素によって形成するとともにその長手方向両端を上記２本の桟の長手方向に画した所定範囲における長手方向スライド自在の係合の配分としてなることを特徴とする請求項１に記載の店舗用シースルー折畳みシャッターとし，請求項３及び４に記載の発明は，その伸縮リンク機構によるシャッター本体の伸縮の形態を特定するように，請求項３に記載の発明を，上記シャッター本体の伸縮を担当する伸縮リンク機構を，シャッター本体の平行多数の桟を伸縮方向に同時に伸縮する伸縮リンク機構としてなることを特徴とする請求項１又は２に記載の店舗用シースルー折畳みシャッター，請求項４に記載の発明を，上記シャッター本体の伸縮を担当する伸縮リンク機構を，シャッター本体の平行多数の桟を伸縮方向にそれぞれ個別伸縮する伸縮リンク機構としてなることを特徴とする請求項１又は２に記載の店舗用シースルー折畳みシャッターとし，請求項５に記載の発明は，伸縮リンク機構の位置をシャッター本体の面端部とする一方，装飾リンクをその間のシャッター本体における面内スペースに配置し，伸縮リンク機構と装飾リンク機構の配置位置を区分けして，伸縮リンク機構の配置の自由度を向上するように，これを，上記伸縮リンク機構を，平行多数の桟における長手方向端部に配置することによって，縦引きのシャッター本体幅方向両端又は横引きのシャッター本体の上下方向両端に配置し，シャッター本体の面内中間の任意位置に上記装飾リンク機構を配置自在としてなることを特徴とする請求項１，２，３又は４に記載の店舗用シースルー折畳みシャッターとし，請求項６に記載の発明は，シャッター本体における装飾リンク機構による装飾配置の形態を示すように，これを，上記文字又は図形の装飾表出を担当する装飾リンク機構を，シャッター本体に多数配置して備えてなることを特徴とする請求項１，２，３，４又は５に記載の店舗用シースルー折畳みシャッターとし，これらをそれぞれ発明の要旨として，上記課題解決の手段としたものである。
【０００５】
本発明にあってシャッター本体における平行多数の桟とは，前後方向に単一の桟による形態，前後方向に複数の桟を備えてその長手方向中間又は端部においてリンク軸，連結ブロック，補強連結枠等により連結して桟フレームをなす形態等，前後方向に桟の本数の単数，複数を問わずに，シャッター本体の面方向に平行多数に配置して伸縮リンク機構によって伸縮自在としたものを意味するものとして使用する。
【０００６】
【発明の実施の形態】
以下図面の例に従って本発明を更に具体的に説明すれば，Ａは，本例において縦引きシャッターとして構成した店舗用のシースルー折畳みシャッター（シースルー伸縮シャッターといってもよい），１は該シャッターＡのシャッター本体であり，該シャッター本体１は，平行に配置した多数の桟２を伸縮自在に連結することによってシャッター本体１の伸縮を担当する伸縮リンク機構４と，該シャッター本体１の任意の複数の桟２に跨がり配置するとともに該複数の桟２に対する回動自在の軸支と長手方向スライド自在の系合を該複数の桟２において配分することによって上記伸縮リンク機構４によるシャッター本体１の伸縮に従動して折畳み自在とし且つ該装飾リンク機構８を，複数のリンクバー又は所定形状に打ち抜き形成したリンクプレートをリンク要素９として店舗の業種，名称，社章等を示す文字又は図形の装飾表出を担当する装飾リンク機構８とを備え，本例において上記伸縮リンク機構４は，これを，シャッター本体１の桟２を伸縮方向にそれぞれ個別伸縮する伸縮リンク機構とし，またこのとき上記伸縮リンク機構４を，桟長手方向端部に配置することによって，縦引きのシャッター本体１幅方向両端上記伸縮リンク機構４を配置し，シャッター本体１の面内中間の任意位置に上記装飾リンク機構８を配置したものとしてある。
【０００７】
即ち本例のシャッター本体１は，例えばアルミ押出材の桟，本例においては横桟２を用い，該桟２をそれぞれ前後方向に複数，特に一対備えてこれら一対の長手方向中間位置における後述の軸支部分のローラー軸及び両端部に介設し図示省略の補強連結材によってこれらを前後に連結して桟フレームを形成するようにするとともに隣接する桟，本例においては上下に隣接する横桟２間にして上記前後に一対の桟２の中間位置にそれぞれ伸縮要素の伸縮リンク機構４を配置し，該伸縮リンク機構４によってその伸縮（折畳みといってもよい）を行なって，桟長手方向両端に設置したシャッター本体１の伸縮方向と交差する交差方向，本例においては縦枠１３の上下方向に対するガイドレール１４の案内によって上下方向に向けた開閉を行なうものとしてある。
【０００８】
伸縮リンク機構４は，同じく例えばアルミ押出材によるリンク要素をなす一対のリンクバー５をＸ字状に交差配置するとともに各リンクバー５の長手方向の一端を上記隣接する桟２にその交点においてそれぞれ回転自在に軸支し，他端を上記隣接する桟２に同じくその交点においてそれぞれスライド自在に係合することによって，平行多数の桟２を伸縮自在に連結してあり，本例にあって該Ｘ字状一対のリンクバー５は，これをシャッター本体１の端部側，本例にあっては桟２の幅方向端部側に位置する一端の桟２との交点においてそれぞれ回転自在の軸支とし，その内側に位置する他端の桟２との交点においてそれぞれスライド自在の係合としてあり，このとき上記回転自在の軸支とスライド自在の係合は，各リンクバー５の長手方向両端にローラー軸を介してガイドローラー６を設置し，該ガイドローラー６を桟２の対向面に開口するように形成したガイドレール３に係合するとともに上記幅方向端部側においてガイドレール３を塞ぐストッパー７をガイドローラー６の両側に設置してそのスライドを防止することにより，上記桟２の前後方向の連結を行なうとともにリンクバー５の回転自在の軸支を行ない，上記その内側においてはガイドローラー６のスライドを許容してリンクバー５のスライド自在の係合を行なってあり，これによって伸縮リンク機構４を形成するとともに該伸縮リンク機構４による上記桟２の伸縮自在の連結を行なったものとしてある。
【０００９】
一方装飾リンク機構８は，同じくアルミ押出材の他，アルミ，合成樹脂，木，これらの複合材等適宜材料によるリンクバー，所定形状に打ち抜き形成したリンクプレート等複数にして装飾要素をなすリンク要素９を用いて，該複数のリンク要素９を，複数の桟２に跨がり配置，即ち隣接する複数の桟２間の正面位置，前後中間位置又は背面位置にして複数の桟２間に跨がって配置して，複数の桟２に対して回動自在の軸支と桟２に対する長手方向スライド自在の係合，或いはそのいずれか一方を適宜に配分するようにしてあり，本例にあっては複数のリンク要素９を，シャッター本体１の任意部位における隣接する３乃至５本の横桟２間にして上記前後に一対の桟２の中間位置にそれぞれ配置して，これら３乃至５本の横桟２に上記各回動自在の軸支と長手方向スライド自在の係合を配分し，それぞれシャッター本体１を閉成した際に，例えば店舗の業種を示す図形を表出するように，上記伸縮リンク機構４に従動して伸縮の折畳みを行なうものとしてある。
【００１０】
即ち図１の例は，例えば建築業，不動産仲介業等を示すように，リンクバー乃至リンクプレートによるリンク要素９によって２階建と平屋の住宅図形を表出するものとしてあり，２階建の住宅図形においては，２階屋根部分をなすリンクバーの一対のリンク要素９を，屋根の棟部分において横桟２に対して回動自在に軸支し，その軒部分をスライド自在に係合し，壁部分のＳ字状をなすリンクプレートのリンク要素９を，その上方において横桟２に対してスライド自在に係合し，下方において回動自在に軸支し，差し掛け屋根をなすリンクバーのリンク要素９を，その上方において横桟２に対して回動自在に軸支し，下方においてスライド自在に係合し，一階の壁部分をなす上記と同様のリンクプレートのリンク要素９を，同様に上方において横桟２に対してスライド自在に係合し，下方において回動自在に軸支してあり，また平屋の住宅図形においても，上記屋根部分と壁部分の各リンク要素９を同様に横桟２に対して回転自在に軸支し，またスライド自在に係合してあり，これによって各リンク要素９の軸支とスライドとを，その長手方向両端と横桟２との交点位置で配分して，上記伸縮リンク機構４の伸縮に従動して，それぞれ軸支部分を基準としてスライド部分をスライドすることによってリンク要素９の折畳みを可能とするようにしてある。
【００１１】
このとき上記回動自在の軸支とスライド自在の係合は，リンクバー乃至リンクプレートによるリンク要素９長手方向端部に上記伸縮リンク機構４におけると同様にガイドローラーを設置するか或いはその軸支部分及びスライド部分において，これらのリンク要素９を前後に重合状に配置し，これらの連結軸に対してガイドローラー１１を設置し，上記伸縮リンク機構４のガイドレール３を共用して，これにガイドローラー１１を係合するかする一方，ガイドローラー１１の移動を阻止し又はスライド範囲を画するブロックによるストッパー１２を設置固定し，該ガイドレール３に対するガイドローラー１１のスライドを防止し，またスライドを許容することによって，上記伸縮リンク機構４におけると同様の構成によるものとしてある。
【００１２】
図９の例は，例えばレストラン業を示すようにナイフとフォークの形状に打ち抜いたリンクプレートによる一対のリンク要素９をＸ字状に交差配置し，同様に３本の隣接する横桟２に跨がり配置し，上下中間の横桟２に上記Ｘ字状の交点が重なるようにし，該Ｘ字状の交点において横桟２に対して回動自在に軸支し，各ナイフとフォークのリンク要素９の長手方向両端を上下外側の横桟２に対してスライド自在に係合して折畳み自在とした例，図１０の例は上記ナイフとフォークに代えて一対のリンクプレートによるリンク要素９を鋏の形状として，例えば床屋業を示すようにした同様の軸支とスライドを行なって折畳み自在とした例，図１１の例は同様にリンクバーによるＸ字状のリンク要素９の片側に更に倒Ｖ字状のリンクバーによるリンク要素９を追加して，魚の形状として，例えば鮮魚販売業を示すようにし，Ｘ字状の交点を中間の横桟２に対して回動自在に軸支する以外，その余の各リンク要素９の両端を横桟２に対してそれぞれスライド自在とすることによって各装飾リンク機構８を折畳み自在とした例，図１２は，同じく喫煙具乃至煙草販売業を示すように紙巻き煙草と紫煙の形状の各リンクプレートのリンク要素９を下端でＶ字状に交差配置し，この交点を横桟２に対して回動自在に軸支し，上端をスライド自在とすることによって大小の各装飾リンク機構８を折畳み自在とした例である。
【００１３】
以上のように構成した本例の縦引きシャッターＡは，桟２，伸縮リンク機構４，装飾リンク機構８を備えるが，これらの間は内外透視のシースルーのものとなり，伸縮リンク機構４がシャッター本体１の伸縮を分担し，装飾リンク機構８が，シャツター本体１の閉成状態で図形を表出することによって，装飾リンク機構８の構成を変化することで，シャッター本体１を共通にして，そのデザインの多様化を可能とするとともに装飾リンク機構８は伸縮リンク機構４の伸縮に従動して折り畳まれるから，シャッター本体１の伸縮を阻害することがなく，そのスムーズな上下方向（縦方向）の開閉を確保し，店舗用のシースルーシャッターにおける上記デザインの多様化を図ることができる。
【００１４】
図９乃至図１２において，リンク要素９の長手方向端部が重合可能なときは上記図１の例のものと同様に，単独のときは上記伸縮リンク機構４におけると同様に，それぞれ回動自在の軸支とスライド自在の係合を行なっているが，その余は上記例のものと同一の構成としてあるので，必要に応じて同一符号を付して，その重複する説明を省略する。
【００１５】
図中１５はシャッターケース，１６はウェイトバランサー，１７はその吊りワイヤー，１８は縦枠１３のバランサーガイドである。
【００１６】
図示した例は以上のとおりとしたが，上記シャッター本体の伸縮を担当する伸縮リンク機構を，シャッター本体の平行多数の桟を伸縮方向に同時に伸縮する伸縮リンク機構とすること，この伸縮リンク機構を上記縦引きシャッターのシャッター本体に適用し，また横引きシャッターのシャッター本体に適用すること，このとき伸縮リンク機構の具体的構成を，従前の伸縮シャッター，伸縮門扉等同時伸縮する建具の公知の構成によるものとすること，上記個別伸縮の伸縮リンク機構を，フレーム構成としたものを含む桟の上下端を上吊りローラーと振れ止めローラーを介して開口枠の上下枠におけるガイドレールに開閉自在に上吊り案内するシャッター本体に適用して，横引きシャッターのシャッター本体を個別伸縮するものとして構成すること，伸縮リンク機構の配置を，上記シャッター本体の端部とともに又はこれに代えて多数の適宜位置とすること，上記複数の桟に対する回動自在の軸支と長手方向スライド自在の係合の配分に代えて，装飾リンク機構をシャッター本体の２本の桟に対して傾斜して跨り配置したリンク要素によって形成するとともにその長手方向両端を上記２本の桟の長手方向にリンク要素長さに画した所定範囲における長手方向スライド自在の係合の配分とすること，装飾リンク機構を，上記図形に代えて，リンクバーやリンクプレートの適宜のリンク要素を使用するとともに上記回動自在の軸支とスライド自在の係合を適宜に配分することによって，例えばローマ字や数字のように文字の装飾表出を行なうようにすること，上記桟に対する軸支を行なわずに所定範囲のスライド自在の係合を行なうに際して，例えば２本の桟にＸ字状のリンク要素を配置して，桟間の上記Ｘ字状の交点位置においてリンク要素を回動自在に軸支し，桟に対して上記スライド自在の係合を行なうようにすること，この構成を，例えば図９乃至図１１の上記ナイフとフォーク，鋏，魚等の形状のものに適用し，上記３本の桟に代えて２本の桟に対してこれらの図形を表出するようにすること，図１２の傾斜配置のリンクバーによるリンク要素を，それぞれ倒Ｖ字状のリンク要素によるように，図１におけると同一の横桟に対する構成を採用し，３本の桟に対して回動自在の軸支とスライド自在の係合を配分したものとすること，桟に対する回動自在の軸支を，連結軸を介して桟に対して直接に行なうこと，桟に対するスライド自在の係合を，桟にガイドレールを後付け的に設置して行ない，また上記ガイドローラーに代えて，ガイドレールに滑動自在の滑動体を用いて行なうこと，ガイドレールを突出レールとし，これに溝ガイドつきの滑動体を用いてスライド自在とすること等を含めて，本発明の実施に当たって，シャッター本体，その桟，伸構リンク機構，装飾リンク機構，シャッター本体のガイドレール又は開口枠，シャッター本体の開閉案内手段等の具体的材質，構造，形状，数，用途，これらの関係，これらに対する付加等の形態は，上記に限定することなく，様々のものとすることができる。
【００１７】
【発明の効果】
本発明は以上のとおりに構成したから，シャッター本体の伸縮に関与する伸縮要素と伸縮に非関与の装飾要素の異にする機能を分担する２種類のリンク機構を用いて，シャッター本体の伸縮とこれに従動して折畳みを可能とした装飾の表出を可能とし，シースルーシャッターとしての長所を保持する一方，例えば店舗の業種，名称，社章等を示す文字又は図形による装飾を付することによって，デザインの多様化を図ることができるようにした店舗用シースルー折畳みシャッターを提供することができる。
【図面の簡単な説明】
【図１】  折畳みシャッターの正面図である。
【図２】  折畳みシャッターの閉成状態を示す装飾リンク機構を省格した縦断面図である。
【図３】  折畳みシャッターの開成状態を示す同じく装飾リンク機構を省略した縦断面図である。
【図４】  折畳みシャッターの縦枠側の横断面図である。
【図５】  伸縮リンク機構の拡大図である。
【図６】  装飾リンク機構の横桟を示す横桟を除いた拡大正面図である。
【図７】  装飾リンク機構の軸支部分と横桟との関係を示す側面側の縦断面図である。
【図８】  装飾リンク機構のスライド部分と横桟との関係を示す側面側の縦断面図である。
【図９】  他の例の折畳みシャッターの正面図である。
【図１０】  他の例の折畳みシャッターの正面図である。
【図１１】  他の例の折畳みシャッターの正面図である。
【図１２】  他の例の折畳みシャッターの正面図である。
【符号の説明】
Ａ  シースルーシャッター
１  シャッター本体
２  桟
４  伸縮リンク機構
８  装飾リンク機構
９  リンク要素
【図１】
0004005253.tif 000002
【図２】
0004005253.tif 000003
【図３】
0004005253.tif 000004
【図４】
0004005253.tif 000005
【図５】
0004005253.tif 000006
【図６】
0004005253.tif 000007
【図７】
0004005253.tif 000008
【図８】
0004005253.tif 000009
【図９】
0004005253.tif 000010
【図１０】
0004005253.tif 000011
【図１１】
0004005253.tif 000012
【図１２】
0004005253.tif 000013